(57)【要約】      （修正有）【課題】温水洗浄機の乾燥及び脱臭装置を提供する。【解決手段】乾燥装置２００と脱臭装置３００が形成された温水洗浄機１０において、乾燥装置２００と脱臭装置３００に１つの駆動モータ４１０が形成され、乾燥装置２００と脱臭装置３００に連携されて駆動モータ４１０の駆動により送風ファンが回転しながら乾燥及び脱臭することができるように１つの送風装置４００が形成されていて、送風装置４００が作動できるようにノズル１００の上端部にノズルガイド１１０が形成され、送風装置４００の上部にノズルガイド１１０と連結されてノズルガイド１１０の上下移動によって左右にガイドされながら乾燥シャッタ４３０と脱臭シャッタ４４０が開閉されるように脱臭乾燥ガイド４２０が形成されている。【選択図】図１
2014084711.tif 000002
【特許請求の範囲】
【請求項１】
座便器内部空間と連通する吸入口３１０と、
前記吸入口３１０に連携されて吸入口３１０から流入された空気が排気されるようにそれぞれ別途の流路が形成される乾燥装置２００及び脱臭装置３００と、
前記乾燥装置２００と脱臭装置３００に同時に連携されながら乾燥装置２００及び脱臭装置３００を選択的に使用できるようにする１つの送風装置４００と、
前記乾燥装置２００及び脱臭装置３００の側部に形成され、乾燥装置２００及び脱臭装置３００を選択的に変換できるように送風装置４００を作動させるノズルガイド１１０が形成されるノズル１００と、を含んで形成されていることを特徴とする温水洗浄機の乾燥及び脱臭装置。
【請求項２】
前記乾燥装置２００及び脱臭装置３００は、前記ノズルガイド１１０の上下直線往復運動を、ノズルガイド１１０が前記送風装置４００を左右往復運動に転換させて選択的に変換することを特徴とする請求項１に記載の温水洗浄機の乾燥及び脱臭装置。
【請求項３】
前記乾燥装置２００及び脱臭装置３００は、前記ノズル１００の直線運動の変位量により送風装置４００が作動して乾燥装置２００及び脱臭装置３００の同時開閉が差等的に調節されながら吐出量が可変されることを特徴とする請求項１に記載の温水洗浄機の乾燥及び脱臭装置。
【請求項４】
前記送風装置４００の上部には、ノズル１００のノズルガイド１１０と接触されてノズルガイド１１０の上下往復運動により左右にガイドされながら乾燥装置２００と脱臭装置３００とを選択的に開閉させるようにする脱臭乾燥ガイド４２０がさらに含まれることを特徴とする請求項１に記載の温水洗浄機の乾燥及び脱臭装置。
【請求項５】
前記送風装置４００の内部には、ノズル１００の駆動動力を利用して脱臭乾燥ガイド４２０のガイドによって互いに相反するように開閉されて乾燥装置２００及び脱臭装置３００の流路に選択的に変更が可能にさせる乾燥シャッタ４３０と脱臭シャッタ４４０が形成されることを特徴とする請求項１または４に記載の温水洗浄機の乾燥及び脱臭装置。
【請求項６】
前記乾燥シャッタ４３０には、脱臭乾燥ガイド４２０のガイドにより乾燥シャッタ４３０を開閉させるようになる乾燥シャッタリンク４３１が連結されていることを特徴とする請求項５に記載の温水洗浄機の乾燥及び脱臭装置。
【請求項７】
前記送風装置４００の内部には、脱臭シャッタ４４０により流入される空気を脱臭して排出するように脱臭フィルタ４４１が形成されていることを特徴とする請求項５に記載の温水洗浄機の乾燥及び脱臭装置。
【請求項８】
前記乾燥シャッタ４３０は左右に複数形成され、前記脱臭シャッタ４４０は上下に複数形成されていることを特徴とする請求項５に記載の温水洗浄機の乾燥及び脱臭装置。
【請求項９】
前記脱臭乾燥ガイド４２０は、ノズルガイド１１０の作動によりガイドされた状態で元の状態に復帰することができるようにスプリング４２１に弾性支持されていることを特徴とする請求項４に記載の温水洗浄機の乾燥及び脱臭装置。
【請求項１０】
前記脱臭乾燥ガイド４２０は、ノズルガイド１１０の上下往復運動により左右にガイドされながら乾燥装置２００と脱臭装置３００を選択的に開閉させる開閉部４２２が形成され、前記開閉部４２２の一側にノズルガイド１１０に密着されてノズルガイド１１０の上下運動で開閉部４２２を押し出すようにする作動部４２３が形成され、前記開閉部４２２の他側にスプリング４２１が結合されるスプリング結合部４２４が形成されていることを特徴とする請求項４または９に記載の温水洗浄機の乾燥及び脱臭装置。
【請求項１１】
前記スプリング結合部４２４は、スプリング４２１が結合された状態で離脱されないように送風装置４００の上部に形成された離脱防止片４０３に嵌合されることを特徴とする請求項１０に記載の温水洗浄機の乾燥及び脱臭装置。
【発明の詳細な説明】
【技術分野】
【０００１】
本発明は、温水洗浄機の乾燥及び脱臭装置に関し、より詳しくは、温水洗浄機の乾燥装置及び脱臭装置に単一の駆動力によりシャッタを開閉する１つの送風装置を形成し、乾燥装置及び脱臭装置の選択的変換にノズルの駆動力を利用することで製造原価を低減することができ、乾燥及び脱臭流路を容易に変更するようにした温水洗浄機の乾燥及び脱臭装置(Drying and deodorizing device for bidet)に関する。
【背景技術】
【０００２】
一般に温水洗浄機は便器に装着されるが、ここで便器とは使用者の用便を楽な姿勢で排泄するための器具である。
【０００３】
そして、温水洗浄機は便器に設置され、容易に用便を済ました後に洗浄を行うために開発されたものである。
【０００４】
このような温水洗浄機は便器のシーツ及びカバーで構成されていて、便器のシーツを暖かくしたり使用者の選択により水を用いて人の肛門または局所を洗浄した後、水気を乾かす。
【０００５】
ここで肛門または局所の洗浄は、水槽の水を、ノズルを介して噴射させて肛門または局所を洗浄する。
【０００６】
このとき、肛門または局所を洗浄する際に異物が付着したりして細菌繁殖に脆弱な状態となっている。このような細菌繁殖を防止するために水槽の水を用いてノズルを洗浄していた。
【０００７】
従来の温水洗浄機は、乾燥装置と脱臭装置がそれぞれの送風装置を使用していたので、空間と部品数が増加し原価上昇の要因となっていた。
【０００８】
一方、従来の温水洗浄機用の温風脱臭装置としては、特許文献１に開示されている。
【０００９】
上記の温風脱臭装置は、ダンパと正回転の回転数の変更可能な制御手段を介してモータの正回転の回転数に従って温風用流路と脱臭用流路との連通を、ダンパを介して変えるものである。
【００１０】
このような、従来の日本国登録特許は風量によりダンパを開閉して流路転換を行っているので、風量が弱い脱臭モードの際の脱臭効率が著しく低下する問題点があった。
【００１１】
また、従来の技術として特許文献２の「ビデ装置」が知られている。
【００１２】
上記の従来のビデ装置では、乾燥装置と脱臭装置が１つの送風装置を使用していて、加熱装置により加熱された空気が乾燥ダクトから分岐して延長されている脱臭ダクトに設けられた脱臭フィルタによって浄化されていた。
【００１３】
しかし、上記の従来のビデ装置では、乾燥及び脱臭に対するダクト途中にバルブの開閉に関する明確な記述がなく、乾燥及び脱臭装置のバルブ開閉のためにそれぞれの駆動力が必要となるので、構造が複雑で原価が過多に上昇する問題点があった。
【先行技術文献】
【特許文献】
【００１４】
【特許文献１】特許第３７４１９８０号公報
【特許文献２】大韓民国特許出願公開第２０１０−０１２９５３７号明細書
【発明の概要】
【発明が解決しようとする課題】
【００１５】
そこで、本発明は上記のような問題点を解決するために案出されたものであって、その目的は、第一に、温水洗浄機に乾燥装置と脱臭装置に必要とする送風装置を１つで形成して同時使用することで部品数を減少して装置の小型化及び原価を低減することにある。
【００１６】
第二に、送風装置に単一の駆動モータを形成し、駆動モータの駆動により回転する１つの送風ファンを形成して送風装置の脱臭乾燥ガイドをガイドするノズルガイドが備えられたノズルを形成することで、１回の作動で乾燥及び脱臭流路を容易に変更することができ、作動能率及び製品の効率性を極大化することにある。
【００１７】
第三に、送風装置内部にそれぞれ設けられたシャッタが１回の作動で乾燥モードや脱臭モードの際に正確に互いに交差しながら開閉されることで製品の性能を極大化することにある。
【００１８】
第四に、送風装置の上部にノズルガイドの作動により作動する脱臭乾燥ガイドがスプリングに弾性支持されることでノズルガイドの作動により脱臭乾燥ガイドが左右ガイドされながら乾燥シャッタと脱臭シャッタを簡単に開閉させられ、作動の便利性を極大化することにある。
【００１９】
五番目に、乾燥装置及び脱臭装置の選択的変換にノズルの駆動力により送風装置を作動させることで作動の便利性を最大化することにある。
【００２０】
六番目に、送風装置の送風ファンを回転させる駆動モータの回転タイプを制御して選択的に使用することで製品の効率性を極大化することができる温水洗浄機の乾燥及び脱臭装置を提供することにある。
【課題を解決するための手段】
【００２１】
前記の目的を達成するために、本発明は、乾燥装置と脱臭装置が形成される温水洗浄機において、前記乾燥装置と脱臭装置に１つの駆動モータが形成され、前記乾燥装置と脱臭装置に連携されて駆動モータの駆動により送風ファンが回転しながら乾燥及び脱臭するように１つの送風装置が形成されていることを特徴とする。
【００２２】
また、本発明は、前記送風装置を作動することができるようにノズルの上端部にノズルガイドが形成され、前記送風装置の上部にノズルガイドと連結されてノズルガイドの上下移動により左右にガイドされながら乾燥シャッタと脱臭シャッタが開閉されるように脱臭乾燥ガイドが形成されていることを特徴とする温水洗浄機の乾燥及び脱臭装置を提供するにある。
【発明の効果】
【００２３】
以上説明したように本発明は、温水洗浄機の乾燥装置と脱臭装置に単一の送風ファンを使用することができる１つの送風装置を形成することで構造が簡単で製品を小型化することができ、製造原価の低減とともに空間シェアを最小化することができる効果がある。
【００２４】
また、本発明は、ノズルガイドの移動によってスプリングに弾性支持される脱臭乾燥ガイドがガイドされて乾燥シャッタと脱臭シャッタとを交差させながら開閉させることができ、簡単な作動でそれぞれのシャッタを開閉させて作動の簡単化及び製品の効率性を最大化することができる効果がある。
【図面の簡単な説明】
【００２５】
【図１】本発明による温水洗浄機の乾燥及び脱臭装置の内部構成を示す分解斜視図である。
【図２】本発明による温水洗浄機の乾燥及び脱臭装置を示す平面図である。
【図３】本発明による温水洗浄機の乾燥及び脱臭装置の乾燥モード時のノズル作動状態による脱臭乾燥ガイドの位置を示す斜視図である。
【図４】本発明による温水洗浄機の乾燥及び脱臭装置の乾燥モード時の乾燥シャッタと脱臭シャッタの開放状態を示す概略断面図である。
【図５】本発明による温水洗浄機の乾燥及び脱臭装置の脱臭モード時のノズル作動状態による脱臭乾燥ガイドの位置を示す斜視図である。
【図６】本発明による温水洗浄機の乾燥及び脱臭装置の脱臭モード時の乾燥シャッタと脱臭シャッタの開放状態を示す概略断面図である。
【発明を実施するための形態】
【００２６】
以下に添付図面を参照しながら、本発明の好適な一実施形態について詳細に説明する。
【００２７】
図１は本発明による温水洗浄機の乾燥及び脱臭装置の内部構成を示す分解斜視図であり、図２は本発明による温水洗浄機の乾燥及び脱臭装置を示す平面図であり、図３は本発明による温水洗浄機の乾燥及び脱臭装置の乾燥モード時のノズル作動状態による脱臭乾燥ガイドの位置を示す斜視図であり、図４は本発明による温水洗浄機の乾燥及び脱臭装置の乾燥モード時の乾燥シャッタと脱臭シャッタの開放状態を示す概略断面図であり、図５は本発明による温水洗浄機の乾燥及び脱臭装置の脱臭モード時のノズル作動状態による脱臭乾燥ガイドの位置を示す斜視図であり、図６は本発明による温水洗浄機の乾燥及び脱臭装置の脱臭モード時の乾燥シャッタと脱臭シャッタの開放状態を示す概略断面図である。
【００２８】
図１ないし図６に示したように、本発明の温水洗浄機１０は、ノズル１００と、前記ノズル１００の作動により乾燥して脱臭する乾燥装置２００及び脱臭装置３００と、前記乾燥装置２００及び脱臭装置３００に連携されてノズル１００の作動により乾燥装置２００及び脱臭装置３００を開閉させることになる１つの送風装置４００と、から構成される。
【００２９】
前記ノズル１００の上端部には、上下往復運動しながら送風装置４００が作動できるようにノズルガイド１１０が形成されている。
【００３０】
前記乾燥装置２００は、上部に乾燥ケース２１０が形成され、側部に乾燥ベース２２０が形成される。
【００３１】
また、前記乾燥装置２００の正面には、乾燥装置２００内部から異物が流入されないようにシャッタ２３０が形成されている。
【００３２】
前記脱臭装置３００は、側部に座便器の内部空間と連通されて空気が流入される吸入口３１０が形成される。
【００３３】
前記送風装置４００は、側部に送風ケース４０１と送風ベース４０２が形成され、前記送風ケース４０１に駆動モータ４１０が形成され、前記駆動モータ４１０の軸に駆動モータ４１０の駆動により回転しながら送風装置４００の空気が吸入口３１０を介して流入されるように送風ファン４１１が形成される。
【００３４】
また、前記送風ケース４０１の上端には、ノズルガイド１１０と連接されてノズルガイド１１０の上下移動により左右にガイドされながら送風装置４００の乾燥シャッタ４３０と脱臭シャッタ４４０が開閉できるように脱臭乾燥ガイド４２０が形成されている。
【００３５】
このとき、前記脱臭乾燥ガイド４２０は、ノズルガイド１１０の作動にガイドされた状態で元の状態に復帰することができるようにスプリング４２１に弾性支持されている。
【００３６】
一方、前記駆動モータ４１０は制御を介して回転速度の調節が可能であることが好ましい。
【００３７】
前記送風装置４００の内部には、ノズル１００の駆動動力を利用して脱臭乾燥ガイド４２０のガイドにより互いに相反するように開閉されて乾燥装置２００と脱臭装置３００との流路（図示せず）に選択的に変更が可能とする乾燥シャッタ４３０と脱臭シャッタ４４０が形成され、前記乾燥シャッタ４３０に乾燥シャッタリンク４３１が連結されている。
【００３８】
そして、前記脱臭乾燥ガイド４２０は、ノズルガイド１１０の作動により左右にガイドされながら乾燥シャッタ４３０と脱臭シャッタ４４０とを開閉させる開閉部４２２が形成され、前記開閉部４２２の一側にノズルガイド１１０に密着されてノズルガイド１１０の移動で開閉部４２２を押し出す作動部４２３が形成され、前記開閉部４２２の他側にスプリング４２１が結合されるスプリング結合部４２４が形成される。
【００３９】
このとき、前記スプリング結合部４２４は、スプリング４２１が離脱されないように送風ケース４０１上部に形成された離脱防止片４０３に嵌合されているようになる。
【００４０】
また、前記送風装置４００の内部には脱臭シャッタ４４０により流入された空気を脱臭して排出するように脱臭フィルタ４４１が形成されている。
【００４１】
一方、前記乾燥シャッタ４３０は乾燥シャッタリンク４３１に複数に形成され、前記脱臭シャッタ４４０は上下に複数に形成されていることが好ましい。
【００４２】
以下に、前記の構成からなる本発明による作用状態を説明する。
【００４３】
前記駆動モータ４１０の駆動により送風ファン４１１が回転しながら前記吸入口３１０を介して悪臭が流入され、前記送風装置４００の作動で吸入口３１０に流入された空気を脱臭することができる。
【００４４】
このとき、前記ノズル１００の上端に付着されたノズルガイド１１０が、ノズル１００が伸張する際の所定区間に停止した時に前記脱臭乾燥ガイド４２０の作動部４２３を押し出すようになって作動部４２３の押されによって前記開閉部４２２がガイドされながら前記乾燥シャッタリンク４３１に固定された乾燥シャッタ４３０を開放し、反対に前記脱臭シャッタ４４０は閉鎖される（図３及び図４参照）。
【００４５】
一方、通常に前記送風装置４００の内部に形成された脱臭シャッタ４４０は常に開放されていて、前記乾燥シャッタ４３０は閉鎖されることを基本とする。
【００４６】
そして、前記ノズル１００が所定区間を離脱して伸張されるかそうでない場合には前記脱臭乾燥ガイド４２０のスプリング結合部４２４に形成されたスプリング４２１により収縮されたスプリング４２１が伸張しながら前記脱臭乾燥ガイド４２０が元の状態に復帰されて乾燥シャッタ４３０は閉鎖され、脱臭シャッタ４４０は開放される（図５及び図６参照）。
【００４７】
このように、本発明は、前記乾燥装置２００と脱臭装置３００に、それぞれの送風装置４００を備える必要なく、１つの送風装置４００で乾燥装置２００と脱臭装置３００を同時に使用することができることで作動は便利で、且つ製品の大きさを最小化することができる。
【００４８】
また、前記駆動モータ４１０の回転速度を調節することで、前記乾燥装置２００と脱臭装置３００の吐出量が可変される。
【００４９】
したがって、本発明は、乾燥装置２００と脱臭装置３００に１つの送風装置４００を形成するとともに、前記ノズルガイド１１０の移動でスプリング４２１に弾性支持される脱臭乾燥ガイド４２０が左右にガイドされるのにつれて、１回の作動で乾燥シャッタ４３０と脱臭シャッタ４４０を交差しながら開閉されるので、作動が簡便であり、且つ乾燥及び脱臭効率を最大化することができる。
【００５０】
以上、本発明は、上述の好適な実施形態に限定されず、本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００５１】
１０    温水洗浄機
１００    ノズル
１１０    ノズルガイド
２００    乾燥装置
２１０    乾燥ケース
２２０    乾燥ベース
２３０    シャッタ
３００    脱臭装置
３１０    吸入口
４００    送風装置
４０１    送風ケース
４０２    送風ベース
４０３    離脱防止片
４１０    駆動モータ
４１１    送風ファン
４２０    脱臭乾燥ガイド
４２１    スプリング
４２２    開閉部
４２３    作動部
４２４    スプリング結合部
４３０    乾燥シャッタ
４３１    乾燥シャッタリンク
４４０    脱臭シャッタ
４４１    脱臭フィルタ
【図１】
2014084711.tif 000003
【図２】
2014084711.tif 000004
【図３】
2014084711.tif 000005
【図４】
2014084711.tif 000006
【図５】
2014084711.tif 000007
【図６】
2014084711.tif 000008